(57)【要約】【課題】記憶部の残容量が所定以下となっても、余裕を持って画像データを保存することが可能な画像処理装置およびプログラムを提供する。【解決手段】画像処理装置の一例である複合機は、制御部４１にログ生成部６３を含むことによって、記憶部４６の残容量が所定以下であることを検知部６４が検知した場合に、画像処理に用いた画像データに対してデータ量を低減する処理を施す。そのため、ログ生成部６３が画像データから画像ログを生成して、記憶部４６に格納する際に、余裕を持って画像ログを保存することができる。【選択図】図４
2008124902.tif 000002
【特許請求の範囲】
【請求項１】
入力された画像データを保存する記憶部と、
前記記憶部に前記画像データを保存させることが可能な容量が所定以下である場合に、前記入力された画像データに対してデータ量を低減する処理を施す制御部と、
を備えることを特徴とする画像処理装置。
【請求項２】
請求項１に記載の画像処理装置であって、
前記制御部は、前記入力された画像データの解像度を低減することでデータ量を低減する解像度低減手段を含む、
ことを特徴とする画像処理装置。
【請求項３】
請求項１に記載の画像処理装置であって、
前記制御部は、前記入力された画像データが複数ページに亘る場合に、所定ページのみを保存に供することでデータ量を低減するページ選抜手段を含む、
ことを特徴とする画像処理装置。
【請求項４】
請求項１に記載の画像処理装置であって、
前記制御部は、前記入力された画像データがテキスト要素と画像要素とを含んでいる場合に、前記入力された画像データから前記テキスト要素と前記画像要素とをそれぞれ抽出し、それぞれ異なる圧縮方式で圧縮することでデータ量を低減する分離圧縮手段を含む、
ことを特徴とする画像処理装置。
【請求項５】
請求項１ないし４の何れかに記載の画像処理装置であって、
前記制御部は、前記記憶部に記憶されている画像データに対してもデータ量を低減する処理を施す、
ことを特徴とする画像処理装置。
【請求項６】
請求項１ないし５の何れかに記載の画像処理装置であって、
前記制御部は、前記記憶部に前記画像データを保存させることが可能な容量が所定以下である場合に、その旨を外部装置へ通知する通知手段を含む、
ことを特徴とする画像処理装置。
【請求項７】
請求項１ないし８の何れかに記載の画像処理装置であって、
前記画像処理装置は、画像データに関する所定の画像処理を実行する装置として構成され、
前記制御部は、前記画像処理に供される画像データを保存用のフォーマットに変換することで、前記入力された画像データを画像ログとして得るログ生成手段を含む、
ことを特徴とする画像処理装置。
【請求項８】
請求項７に記載の画像処理装置であって、
前記制御部は、前記記憶部に前記画像データを保存させることが可能な容量が所定以下である場合に、一部または全部の種類の前記画像処理の実行を制限する、
ことを特徴とする画像処理装置。
【請求項９】
請求項８に記載の画像処理装置であって、
前記制御部は、外部装置から入力された画像データを扱う画像処理の実行のみを許可する、
ことを特徴とする画像処理装置。
【請求項１０】
入力された画像データを保存する記憶部に該画像データを保存させることが可能な容量が所定以下である場合に、前記入力された画像データに対してデータ量を低減する処理を施す保存制御手段としてコンピュータを機能させることを特徴とする画像処理プログラム。
【発明の詳細な説明】
【技術分野】
【０００１】
本発明は、画像処理装置および画像処理プログラムに関する。
【背景技術】
【０００２】
近年、コピー装置、プリンタ装置、スキャナ装置、ファクシミリ装置、及びこれらを統合した複合機などの分野では、機密情報の漏洩を防ぐために、装置の機能によって処理される画像データから画像ログを生成し、保存することが可能な装置が増えてきている。特許文献１には、処理される画像データから画像ログを生成し、装置自身が有する記憶部や、ネットワーク上のサーバ装置の記憶部に画像ログを記憶させる複合機等が開示されている。
【０００３】
ところで、画像ログを保存する場合、従来のテキストデータからなるログと比べてデータ量が大きいことから、記憶部において画像ログを保存させることが可能な容量（残容量）に不足が生じてしまう局面が多くなることが考えられる。
【特許文献１】特開２００４−２０８０４８号公報
【発明の開示】
【発明が解決しようとする課題】
【０００４】
本発明は、記憶部の残容量が所定以下となっても、余裕を持って画像データを保存することが可能な画像処理装置および画像処理プログラムを提供することをその目的の一つとする。
【課題を解決するための手段】
【０００５】
上記課題を解決するため、本発明の画像処理装置は、入力された画像データを保存する記憶部と、前記記憶部に前記画像データを保存させることが可能な容量が所定以下である場合に、前記入力された画像データに対してデータ量を低減する処理を施す制御部と、を備えることを特徴とする。
【０００６】
また、本発明の画像処理装置において、前記制御部は、前記入力された画像データの解像度を低減することでデータ量を低減する解像度低減手段を含む、ことを特徴とする。
【０００７】
また、本発明の画像処理装置において、前記制御部は、前記入力された画像データが複数ページに亘る場合に、所定ページのみを保存に供することでデータ量を低減するページ選抜手段を含む、ことを特徴とする。
【０００８】
また、本発明の画像処理装置において、前記制御部は、前記入力された画像データがテキスト要素と画像要素とを含んでいる場合に、前記入力された画像データから前記テキスト要素と前記画像要素とをそれぞれ抽出し、それぞれ異なる圧縮方式で圧縮することでデータ量を低減する分離圧縮手段を含む、ことを特徴とする。
【０００９】
また、本発明の画像処理装置において、前記制御部は、前記記憶部に記憶されている画像データに対してもデータ量を低減する処理を施す、ことを特徴とする。
【００１０】
また、本発明の画像処理装置において、前記制御部は、前記記憶部に前記画像データを保存させることが可能な容量が所定以下である場合に、その旨を外部装置へ通知する通知手段を含む、ことを特徴とする。
【００１１】
次に、本発明の画像処理装置は、画像データに関する所定の画像処理を実行する装置として構成され、前記制御部は、前記画像処理に供される画像データを保存用のフォーマットに変換することで、前記入力された画像データを画像ログとして得るログ生成手段を含む、ことを特徴とする。
【００１２】
また、本発明の画像処理装置において、前記制御部は、前記記憶部に前記画像データを保存させることが可能な容量が所定以下である場合に、一部または全部の種類の前記画像処理の実行を制限する、ことを特徴とする。
【００１３】
また、本発明の画像処理装置において、前記制御部は、外部装置から入力された画像データを扱う画像処理の実行のみを許可する、ことを特徴とする。
【００１４】
次に、本発明の画像処理プログラムは、入力された画像データを保存する記憶部に該画像データを保存させることが可能な容量が所定以下である場合に、前記入力された画像データに対してデータ量を低減する処理を施す保存制御手段としてコンピュータを機能させることを特徴とする。
【発明の効果】
【００１５】
上記本発明によれば、記憶部の残容量が所定以下となっても、余裕を持って画像データを保存することができる。
【発明を実施するための最良の形態】
【００１６】
本発明の実施形態について、図面を参照しながら説明する。
【００１７】
［第１実施形態］
図１は、画像ログ保存システム１の構成例を表す図である。画像ログ保存システム１では、複合機２およびサーバ装置３が通信路で構築されたネットワークに接続されており、互いに通信可能に構成されている。本実施形態では、複合機２が画像処理装置の例とされる。
【００１８】
複合機２は、少なくともプリント、コピー、スキャンやファクシミリなどのうち少なくとも２以上の機能を有しており、これらの機能によって実現可能な画像処理を実行する本体部２１と、画像処理の命令を入力するためのタッチパネル２２とを備える。複合機２は、画像処理に供される画像データから画像ログを生成すると、この画像ログをサーバ装置３へ送信する。サーバ装置３は、画像ログを受信すると、これを保存する。なお、本実施形態では、画像処理装置として複合機を例に挙げているが、これに限らず、コピー装置、プリンタ装置、スキャナ装置やファクシミリ装置などであっても良い。
【００１９】
ここで、複合機２において実行される画像処理は、プリント、コピー、スキャン及びファクシミリなどのように、取得した画像データを出力する処理である。例えば、プリントであれば、ネットワークに接続された他の機器や、メモリカードなどの可搬性のある記憶媒体などの外部から取得した画像データを、用紙等の媒体に印刷する。また、コピーであれば、自身が有するスキャナに原稿を読取らせて取得した画像データを、用紙等の媒体に印刷する。また、スキャンであれば、自身が有するスキャナに原稿を読取らせて取得したデータを、自身が有する記憶部に一旦記憶して、これを外部から読出させたり、外部の記憶装置に出力したりする。また、ファクシミリ送信であれば、自身が有するスキャナに原稿を読取らせて取得した画像データや外部から取得した画像データを、電話線等を介して外部へ送信する。また、ファクシミリ受信であれば、電話線等を介して外部から受信した画像データを、用紙等の媒体に印刷したり、自身が有する記憶部に一旦記憶して、これを外部から読出させたり、外部の記憶装置に出力したりする。
【００２０】
図２は、複合機２の構成例を表すブロック図である。複合機２は、装置全体の制御を司る制御部４１と、制御部４１からの制御によって、本体部２１にプリント、コピー、スキャン及びファクシミリなどの画像処理を実行させる動作部４２と、サーバ装置３との通信を可能とする通信部４３と、表示部４４と操作部４５が一体とされたタッチパネル２２と、ハードディスクドライブ（ＨＤＤ）などで構成される記憶部４６と、を備える。
【００２１】
制御部４１は、ＣＰＵ（中央演算装置）やＣＰＵの作業領域とされるＲＡＭ（ランダムアクセスメモリ）などを含んで構成される。記憶部４６は、制御部４１のＣＰＵの動作に必要なプログラムを記憶している。このプログラムは、ＣＤ−ＲＯＭ等の記憶媒体に記憶させることができる。
【００２２】
図３は、記憶部４６の記憶内容を表す説明図である。記憶部４６は、画像データ一時保存領域５１と、設定情報保存領域５２と、画像ログ保存領域５３とを含んでいる。この画像データ一時保存領域５１には、画像処理に供された画像データが一時的に保存され、画像ログを生成する際に読み出される。
【００２３】
また、設定情報保存領域５２には、後述するデータ量低減処理を実行する際の設定情報や、画像処理の実行を制限する際の設定情報、記憶部４６の残容量を検知する際の閾値の設定情報などの設定情報が保存されている。これらの設定情報は、ユーザによるタッチパネル２２の操作や、ネットワークに接続された他装置からのアクセスによって更新することができる。
【００２４】
また、画像ログ保存領域５３には、画像ログが格納される。記憶部４６に画像ログを保存させることが可能な容量（残容量）とは、例えば、記憶部４６に割り当てられた画像ログ保存領域５３の中でデータに占有されていない領域の容量をいう。
【００２５】
図４は、複合機２の機能構成例を表すブロック図である。複合機２の制御部４１は、機能的に、実行制御部６１と、ログ生成部６３と、保存制御部６２と、検知部６４と、通知部６５とを有する。これらの構成要素は、制御部４１に含まれるＣＰＵのソフトウェア的な動作によって実現する。
【００２６】
実行制御部６１は、画像処理の命令（ジョブパラメータ）がタッチパネル２２から入力されると、その内容に基づいて動作部４２を制御し、プリント、コピー、スキャン及びファクシミリなどの画像処理を実行させる。
【００２７】
また、実行制御部６１は、プリント、コピー、スキャン及びファクシミリなどの画像処理に関するジョブパラメータが入力された場合に、画像処理に用いる画像データを取得する。例えば、プリントや、外部データのファクシミリ送信であれば、ネットワークに接続された他の機器や、メモリカードなどの可搬性のある記憶媒体などの外部から画像データを取得する。また、コピーやスキャン、原稿を読取ってのファクシミリ送信であれば、自身が有するスキャナに原稿を読取らせて画像データを取得する。また、ファクシミリ受信であれば、電話線等を介して外部から画像データを取得する。実行制御部６１は、このようにして取得した画像データを記憶部４６に含まれる画像データ一時保存領域５１に格納する。
【００２８】
また、実行制御部６１は、記憶部４６に含まれる画像ログ保存領域５３の残容量が所定以下であることを検知部６４が検知した場合に、記憶部４６に含まれる設定情報保存領域５２に格納されている設定情報に応じて、画像処理の実行を停止する。ここで、実行を停止する画像処理は、プリント、コピー、スキャン及びファクシミリなどの複数種類の画像処理のうち一部の種類とすることができる。また、この際、例えば、ファクシミリ受信など、他装置から入力された画像データを扱う画像処理のみを許可するようにすると良い。
【００２９】
保存制御部６２は、記憶部４６に含まれる画像データ一時保存領域５１に格納されている画像データを読み出して、ログ生成部６３へ供給する。この際、保存制御部６２は、記憶部４６の残容量が所定以下であることを検知部６４が検知した場合に、記憶部４６に含まれる設定情報保存領域５２に格納されている設定情報に応じて、読み出した画像データに対してデータ量を低減するデータ量低減処理を施す。このデータ量低減処理については、後に詳述する。
【００３０】
ログ生成部６３は、保存制御部６２から供給された画像データを保存用のフォーマットに変換して画像ログを得る。そして、ログ生成部６３は、このように生成した画像ログを、記憶部４６に含まれる画像ログ保存領域５３に格納する。また、ログ生成部６３は、このように生成した画像ログを、サーバ装置３へ送信して保存させる。
【００３１】
ここで、保存用のフォーマットとは、画像データのサイズおよびデータ量を圧縮するものであり、例えば、ＰＤＦ（Portable Document Format）やＪＰＥＧ（Joint Photographic Experts Group）などの形式がある。また、画像処理に供される画像データは、プリンタ等の出力やファクシミリの出力など、それぞれの出力に特化したフォーマットを有しているが、ログ生成部６３は、どのフォーマットの画像データに対しても同じ保存用のフォーマットを適用して画像ログを得る。
【００３２】
検知部６４は、記憶部４６に含まれる画像ログ保存領域５３の残容量を監視しており、この画像ログ保存領域５３の残容量が所定以下であることを検知すると、実行制御部６１、保存制御部６２および通知部６５に対してその旨を表す信号を出力する。ここで、残容量を検知する際の閾値は、記憶部４６に含まれる設定情報保存領域５２に格納された設定情報により定められる。
【００３３】
通知部６５は、記憶部４６に含まれる画像ログ保存領域５３の残容量が所定以下であることを検知部６４が検知した場合に、その旨をネットワークに接続された他装置へ通知する。
【００３４】
図５は、保存制御部６２の説明図である。保存制御部６２は、解像度低減部７１と、ページ選抜部７２と、分離圧縮部７３とを含んでいる。保存制御部６２は、記憶部４６に含まれる設定情報保存領域５２に格納されている設定情報に応じて、これらを動作させ、画像データに対してデータ量低減処理を施す。また、解像度低減部７１、ページ選抜部７２および分離圧縮部７３の処理を組み合わせるようにしても良い。
【００３５】
解像度低減部７１は、入力された画像データの解像度を低減することでデータ量を低減する。
【００３６】
ページ選抜部７２は、入力された画像データが複数ページに亘る場合に、例えば先頭ページなど、所定ページのみを保存に供することでデータ量を低減する。すなわち、ページ選抜部７２を含む保存制御部６２は、複数ページに亘る画像データのうち、所定ページに係る画像データをログ生成部６３へ供給し、その他のページに係る画像データをログ生成部６３へ供給することなく削除する。
【００３７】
分離圧縮部７３は、入力された画像データがテキスト要素と画像要素とを含んでいる場合に、画像データからテキスト要素と画像要素とをそれぞれ抽出し、それぞれ異なる圧縮方式で圧縮する。
【００３８】
ここで、画像データに含まれるテキスト要素は、画像データが表す画像の横軸方向の投影ヒストグラムと縦軸方向の投影ヒストグラムとを算出することにより位置を特定することができる。また、この特定した位置から文字認識によってテキスト情報を抽出することができる。他方、画像データに含まれる画像要素は、画像データが表す画像をＨｏｕｇｈ変換やフーリエ変換することにより位置を特定することができる。
【００３９】
また、テキスト要素および画像要素には、それぞれ個別に、その要素に対して圧縮率の高い圧縮方式を適用することができる。例えば、テキスト要素であれば、ＬＨＡやＺＩＰ、ＣＡＢなどの圧縮方式を適用することができる。また、画像要素であれば、ＪＰＥＧやＧＩＦなどの圧縮方式を適用することができる。なお、画像要素については、ログ生成部６３で圧縮させても良い。このように個別に圧縮されたテキスト要素および画像要素は、ログ生成部６３によって、互いに関連付けられて記憶部４６に含まれる画像ログ保存領域５３へ格納される。
【００４０】
なお、保存制御部６２は、記憶部４６の残容量が所定以下であることを検知部６４が検知した場合に、記憶部４６に含まれる画像ログ保存領域５３に既に保存されている画像ログに対してもデータ量低減処理を施す。ここでは、例えば、解像度低減部７１やページ選抜部７２の動作によって、保存されている画像ログに対してデータ量低減処理を施す。この動作は、例えば、画像処理の実行や画像ログの生成などの処理が行われていない間に行われる。
【００４１】
図６は、複合機２の動作例を表すフローチャートである。
【００４２】
まず、実行制御部６１は、ジョブパラメータがタッチパネル２２から入力されると、その内容に基づいて動作部４２を制御し、プリント、コピー、スキャン及びファクシミリなどの画像処理を実行させる（Ｓ１１）。また、実行制御部６１は、実行させる画像処理に用いられる画像データを取得し、記憶部４６に含まれる画像データ一時保存領域５１に格納する（Ｓ１２）。
【００４３】
次に、保存制御部６２は、画像データ一時保存領域５１に格納されている画像データを読み出して、記憶部４６の残容量が所定以下であることを検知部６４が検知していなければ（Ｓ１３：ＮＯ）、画像データをそのままログ生成部６３へ供給する。
【００４４】
他方、記憶部４６の残容量が所定以下であることを検知部６４が検知している場合（Ｓ１３：ＹＥＳ）、保存制御部６２は、画像データ一時保存領域５１から読み出した画像データに対してデータ量低減処理を施し（Ｓ１５）、この処理が施された画像データをログ生成部６３へ供給する。このデータ量低減処理は、記憶部４６に含まれる設定情報保存領域５２に格納されている設定情報に応じて、保存制御部６２に含まれる解像度低減部７１、ページ選抜部７２および分離圧縮部７３の一種または二種以上を動作させることによって行われる。
【００４５】
次に、ログ生成部６３は、保存制御部６２から供給された画像データを保存用のフォーマットに変換して画像ログを得る（Ｓ１４）。そして、ログ生成部６３は、このように生成した画像ログを、記憶部４６に含まれる画像ログ保存領域５３に格納するとともに、サーバ装置３へ送信して保存させる（Ｓ１６）。
【００４６】
以上の動作は、画像処理に用いられた画像データの全ページに対して行われる（Ｓ１７）。
【００４７】
以上により、本実施形態では、解像度低減部７１、ページ選抜部７２および分離圧縮部７３を含む保存制御部６２によって、画像データのデータ量を低減することができるので、これによって得られる画像ログはデータ量が低減されたものとなり、その結果、記憶部４６に含まれる画像ログ保存領域５３の残容量が所定以下となっても、余裕を持って画像ログを保存することができる。
【００４８】
具体的には、解像度低減部７１によって、画像データの解像度が低減されるので、その結果、データ量を低減することができる。
【００４９】
また、ページ選抜部７２によって、所定ページ以外のページに係る画像データが保存に供されないので、その結果、全体のデータ量を低減することができる。
【００５０】
また、分離圧縮部７３によって、画像データから抽出されたテキスト要素および画像要素には、それぞれ個別に、その要素に対して圧縮率の高い圧縮方式が適用されるので、その結果、全体のデータ量を低減することができる。
【００５１】
保存制御部６２は、記憶部４６の残容量が所定以下である場合に、記憶部４６に既に保存されている画像ログに対してもデータ量低減処理を施すことから、記憶部４６の残容量を増大させることができ、その結果、余裕を持って画像ログを保存することができるようになる。
【００５２】
通知部６５は、記憶部４６の残容量が所定以下である場合に、その旨をネットワークに接続された他装置へ通知することから、この通知を受けた管理者等のユーザによって記憶部４６から画像ログが取出されて、記憶部４６の残容量が増大することが期待できる。
【００５３】
実行制御部６１は、記憶部４６の残容量が所定以下である場合に、所定の画像処理の実行を停止することで、記憶部４６に新たに格納される画像ログの数を制限することができる。また、この際、例えばファクシミリ受信など、他装置から入力された画像データを扱う画像処理のみを許可するようにすることで、記憶部４６の残容量が所定以下であることを知る由もない遠隔から送信されてきた画像データを、優先的に記憶部４６に格納することができる。
【００５４】
［第２実施形態］
本実施形態では、図１におけるサーバ装置３が画像処理装置の例とされる。なお、本実施形態において、上述の第１実施形態と重複する構成については、同一の符号を付して説明を簡略化する。
【００５５】
図７は、サーバ装置３の構成例を表すブロック図である。サーバ装置３は、装置全体の制御を司る制御部８１と、複合機２との通信を可能とする通信部８２と、ディスプレイ装置などで構成される表示部８３と、キーボードやマウスなどで構成される操作部８４と、ハードディスクドライブ（ＨＤＤ）などで構成される記憶部８５と、を備える。
【００５６】
制御部８１は、ＣＰＵ（中央演算装置）やＣＰＵの作業領域とされるＲＡＭ（ランダムアクセスメモリ）などを含んで構成される。記憶部８５は、制御部８１のＣＰＵの動作に必要なプログラムを記憶している。このプログラムは、ＣＤ−ＲＯＭ等の記憶媒体に記憶させることができる。
【００５７】
記憶部８５は、設定情報保存領域と、画像ログ保存領域とを含んでいる（図示せず）。この設定情報保存領域には、データ量低減処理を実行する際の設定情報や、記憶部８５の残容量を検知する際の閾値の設定情報などの設定情報が保存されている。これらの設定情報は、ユーザによる操作部８４の操作によって更新することができる。また、画像ログ保存領域には、画像ログが格納される。記憶部８５に画像ログを保存させることが可能な容量（残容量）とは、例えば、記憶部８５に割り当てられた画像ログ保存領域の中でデータに占有されていない領域の容量をいう。
【００５８】
図８は、サーバ装置３の機能構成例を表すブロック図である。サーバ装置３の制御部８１は、機能的に、保存制御部９１と、検知部６４とを有する。これらの構成要素は、制御部８１に含まれるＣＰＵのソフトウェア的な動作によって実現する。
【００５９】
保存制御部９１は、複合機２が生成した画像ログをネットワーク経由で取得すると、この画像ログを、記憶部８５に含まれる画像ログ保存領域（図示せず）に格納する。この際、保存制御部９１は、記憶部８５の残容量が所定以下であることを検知部６４が検知した場合に、記憶部８５に含まれる設定情報保存領域に格納されている設定情報に応じて、取得した画像データに対してデータ量低減処理を施す。
【００６０】
ここで、保存制御部９１は、解像度低減部７１およびページ選抜部７２を含んでいるため、画像ログは、解像度低減部７１によって解像度が低減され、ページ選抜部７２によって所定ページのみが保存に供される。
【００６１】
図９は、サーバ装置３の動作例を表すフローチャートである。
【００６２】
まず、保存制御部９１は、複合機２から画像ログを取得すると（Ｓ２１）、記憶部８５の残容量が所定以下であることを検知部６４が検知していなければ（Ｓ２２：ＮＯ）、画像ログを記憶部８５の画像ログ保存領域に格納する（Ｓ２３）。
【００６３】
他方、記憶部８５の残容量が所定以下であることを検知部６４が検知している場合（Ｓ２２：ＹＥＳ）、保存制御部９１は、複合機２から取得した画像ログに対してデータ量低減処理を施し（Ｓ２４）、この処理が施された画像ログを記憶部８５の画像ログ保存領域に格納する（Ｓ２３）。このデータ量低減処理は、記憶部８５に含まれる設定情報保存領域に格納されている設定情報に応じて、保存制御部９１に含まれる解像度低減部７１およびページ選抜部７２の一種または二種を動作させることによって行われる。
【００６４】
以上の動作は、複合機２から取得した画像ログの全ページに対して行われる（Ｓ２５）。
【００６５】
以上により、本実施形態では、解像度低減部７１およびページ選抜部７２を含む保存制御部９１によって、画像ログのデータ量を低減することができるので、その結果、記憶部８５に含まれる画像ログ保存領域の残容量が所定以下となっても、余裕を持って画像ログを保存することができる。
【図面の簡単な説明】
【００６６】
【図１】画像ログ保存システムの構成例を表す図である。
【図２】複合機の構成例を表すブロック図である。
【図３】記憶部の記憶内容を表す説明図である。
【図４】複合機の機能構成例を表すブロック図である。
【図５】複合機の機能構成例の要部を表すブロック図である。
【図６】複合機の動作例を表すフローチャートである。
【図７】サーバ装置の構成例を表すブロック図である。
【図８】サーバ装置の機能構成例を表すブロック図である。
【図９】サーバ装置の動作例を表すフローチャートである。
【符号の説明】
【００６７】
１  画像ログ保存システム、２  複合機、２１  本体部、２２  操作パネル、３  サーバ装置、４１  制御部、４２  動作部、４３  通信部、４４  表示部、４５  操作部、４６  記憶部、５１  画像データ一時保存領域、５２  設定情報保存領域、５３  画像ログ保存領域、６１  実行制御部、６２  保存制御部、６３  ログ生成部、６４  検知部、６５  通知部、７１  解像度低減部、７２  ページ選抜部、７３  分離圧縮部、８１  制御部、８２  通信部、８３  表示部、８４  操作部、８５  記憶部、９１  保存制御部。
【図１】
2008124902.tif 000003
【図２】
2008124902.tif 000004
【図３】
2008124902.tif 000005
【図４】
2008124902.tif 000006
【図５】
2008124902.tif 000007
【図６】
2008124902.tif 000008
【図７】
2008124902.tif 000009
【図８】
2008124902.tif 000010
【図９】
2008124902.tif 000011